(57)【要約】【課題】フィルターによるものでは、有害な気体を確実に除去するまでの性能は確保されていなかったし、屋外に排出する等によって吸引しないようにすることは、当事者にとっては有効な手段であるが、有害な気体を周囲に拡散することで新たな問題を発生させる可能性を抱えていた。【解決手段】気体に混在している有毒なまたは異臭のする物質を除去する装置であり、気体の流れに従って、有毒なまたは異臭のする物質を除去する活性炭３６と、気体を吸引する吸引手段３３を記載の順に配設した。【選択図】  図１
2006312156.tif 000002
【特許請求の範囲】
【請求項１】
気体に混在している有毒なまたは異臭のする物質を除去する方法に於いて、吸引した気体に混在している有毒なまたは異臭のする物質を除去する活性炭（３６）の層を通過させることを特徴とする気体に混在している有毒なまたは異臭のする物質を除去する方法。
【請求項２】
前記活性炭（３６）の上流で油を吸着する入口側油吸着材（３５）を通過させることを特徴とする請求項１に記載の気体に混在している有毒なまたは異臭のする物質を除去する方法。
【請求項３】
前記活性炭（３６）の下流で油を吸着する出口側油吸着材（３７）を通過させることを特徴とする請求項２に記載の気体に混在している有毒なまたは異臭のする物質を除去する方法。
【請求項４】
吸引手段（３３）によって気体を吸引することを特徴とする請求項１ないし請求項３のいずれか１項に記載の気体に混在している有毒なまたは異臭のする物質を除去する方法。
【請求項５】
気体は、プラスチックから発生するガスであることを特徴とする請求項１ないし請求項４のいずれか１項に記載の気体に混在している有毒なまたは異臭のする物質を除去する方法。
【請求項６】
気体に混在している有毒なまたは異臭のする物質を除去する装置に於いて、気体の流れに従って、有毒なまたは異臭のする物質を除去する活性炭（３６）と、気体を吸引する吸引手段（３３）を記載の順に配設したことを特徴とする気体に混在している有毒なまたは異臭のする物質を除去する装置。
【請求項７】
前記活性炭（３６）は、複数の袋（３８）に収納した状態で充填したものであることを特徴とする請求項６に記載の気体に混在している有毒なまたは異臭のする物質を除去する装置。
【請求項８】
前記活性炭（３６）の上流に油を吸着する入口側油吸着材（３５）を、前記活性炭（３６）と前記吸引手段（３３）の間に油を吸着する出口側油吸着材（３７）を配設したことを特徴とする請求項６または請求項７に記載の気体に混在している有毒なまたは異臭のする物質を除去する装置。
【請求項９】
前記入口側油吸着材（３５）と前記出口側油吸着材（３７）はポリプロピレンまたはポリスチレンであり、前記吸引手段（３３）はターボファン（３３）であることを特徴とする請求項８に記載の気体に混在している有毒なまたは異臭のする物質を除去する装置。
【請求項１０】
除去装置（３０）は本体（３１）と蓋（３２）によって構成され、前記蓋（３２）には入口（３２ａ）を形成し、前記活性炭（３６）は前記本体（３１）に形成された脱臭室（３１ａ）に充填され、前記入口（３２ａ）には気体の発生源より吸込ホース（１０）が接続され、前記本体（３１）にはターボファン（３３）に接続した吐出管（３４）を位置させたことを特徴とする請求項６ないし請求項９のいずれか１項に記載の気体に混在している有毒なまたは異臭のする物質を除去する装置。
【発明の詳細な説明】
【技術分野】
【０００１】  本発明は、気体に混在している有毒なまたは異臭のする物質を除去する方法および装置に関する技術であって、更に詳細に述べると、如何にしたら確実な方法で、同時に単純な手段で安価な形で気体に混在している有毒なまたは異臭のする物質を除去することが出来るかという内容の技術について、また使用している材料が劣化した際に交換する場合の利便性に配慮した技術について述べたものである。
【背景技術】
【０００２】  従来、気体に混在している有毒なまたは異臭のする物質を除去する方法および装置に関する技術としては、圧縮空気中に含まれている異臭をフィルターによって除去しようとすることは行われていたが、有害な気体に関しては除去するよりは吸引しないように配慮することに重点が置かれていた。【０００３】  即ち、有害な気体に関しては、屋外に排出する等によって当事者が吸引しないような配慮を講じていたのである。
【発明の開示】
【発明が解決しようとする課題】
【０００４】  しかしながら、このような従来の気体に混在している有毒なまたは異臭のする物質を除去する方法および装置に関しては、以下に示すような課題があった。【０００５】  先ず、フィルターによるものでは、有害な気体を確実に除去するまでの性能は確保されていなかった。【０００６】  また、屋外に排出する等によって吸引しないようにすることは、当事者にとっては有効な手段であるが、有害な気体を周囲に拡散することで新たな問題を発生させる可能性を抱えていた。
【課題を解決するための手段】
【０００７】  本発明は、気体に混在している有毒なまたは異臭のする物質を除去する方法に於いて、吸引した気体に混在している有毒なまたは異臭のする物質を除去する活性炭３６の層を通過させることを特徴とし、更には、前記活性炭３６の上流で油を吸着する入口側油吸着材３５を通過させることを特徴とし、更には、前記活性炭３６の下流で油を吸着する出口側油吸着材３７を通過させることを特徴とし、更には、吸引手段３３によって気体を吸引することを特徴とし、更には、気体は、プラスチックから発生するガスであることを特徴とすることによって、上記課題を解決したのである。【０００８】  また、本発明は、気体に混在している有毒なまたは異臭のする物質を除去する装置に於いて、気体の流れに従って、有毒なまたは異臭のする物質を除去する活性炭３６と、気体を吸引する吸引手段３３を記載の順に配設したことを特徴とし、更には、前記活性炭３６は、複数の袋３８に収納した状態で充填したものであることを特徴とし、更には、前記活性炭３６の上流に油を吸着する入口側油吸着材３５を、前記活性炭３６と前記吸引手段３３の間に油を吸着する出口側油吸着材３７を配設したことを特徴とし、更には、前記入口側油吸着材３５と前記出口側油吸着材３７はポリプロピレンまたはポリスチレンであり、前記吸引手段３３はターボファン３３であることを特徴とし、更には、除去装置３０は本体３１と蓋３２によって構成され、前記蓋３２には入口３２ａを形成し、前記活性炭３６は前記本体３１に形成された脱臭室３１ａに充填され、前記入口３２ａには気体の発生源より吸込ホース１０が接続され、前記本体３１にはターボファン３３に接続した吐出管３４を位置させたことを特徴とすることによって、上記課題を解決したのである。
【発明の効果】
【０００９】  以上の説明から明らかなように、本発明によって、以下に示すような効果をあげることが出来る。【００１０】  第一に、活性炭の層を通過させることで、気体に混在している有毒なまたは異臭のする物質を除去することが可能となった。  特に、プラスチックから発生するガスには非常に効果的となった。【００１１】  第二に、活性炭の上流に油を吸着除去するポリプロピレンまたはポリスチレンを含む入口側油吸着材を配設することで、オイルミストをほぼ完全に除去することが可能となり、それによって汚泥化や固化を防止して活性炭の寿命を各段に延長させることが可能となった。【００１２】  第三に、活性炭の下流に油を吸着除去するポリプロピレンまたはポリスチレンを含む出口側油吸着材を配設することで、活性炭の層に侵入した微量のオイルミストも捕捉することが可能となり、それによってターボファンを含む吸引手段の早期の機能低下を防止し、更に寿命を各段に延長させることが可能となった。【００１３】  第四に、ターボファンを含む吸引手段によって気体を吸引することにより、有毒なまたは異臭のする物質が混在している気体を確実に積極的に吸引して処理することが可能となった。【００１４】  第五に、活性炭を複数の袋に収納した状態で脱臭室に充填することにより、粉末である活性炭の充填作業や交換作業が、また汚泥化して固化した活性炭の交換作業が非常に容易となった。【００１５】  第六に、蓋には入口を形成し、入口には、気体の発生源より発生した気体を吸引可能にした、時には周囲の空気も同時に吸込むように配慮した、取付金具を構成し吸込ホースを接続することで、有毒なまたは異臭のする物質を含んだ気体の吸引が確実で容易なものとなった。
【発明を実施するための最良の形態】
【００１６】  以下、本発明の実施の形態を図面と共に詳細に説明する。
ここで、図１は、本願発明全体の外観を示した図であり、図２は、本願発明の除去装置を示した図である。【００１７】  図１に見られるように、３０は除去装置であり、外観的には本体３１と蓋３２と吐出管３４を構成し、蓋３２には入口３２ａが形成されている。  この場合、吐出管３４には吐出ホースを接続することが可能となっている。  また、除去装置３０の形状に関しては図１に見られる円筒にこだわる必要は無く、断面が正三角形でも三角形でも正方形でも長方形でも四角形でも正五角形でも五角形でも正六角形でも六角形でも正八角形でも八角形でもその他の形状でも構わない。【００１８】  一方、入口３２ａには気体の発生源より吸込ホース１０が接続している。  尚、吸込ホース１０はホース１１と取付金具１２より構成されていて、取付金具１２は気体の発生源の周囲に固定可能になっている。  この場合、取付金具１２は、全く外部からの吸込みが無い様に気体の発生源の周辺に密着させても良いし、ダクト状に周囲の空気も含めて吸込む方式でも構わない。【００１９】  ところで、図２に見られるように、除去装置３０の本体３１に形成された脱臭室３１ａには複数の袋３８に詰めた状態で数段積み重ねて活性炭３６を充填している。  ここで、袋３８に関しては、粉末状になっている活性炭３６がこぼれない程度の目の粗さが望ましい。  但し、袋３８に関しては、複数ということにこだわる必要は無く、単数でも構わない。【００２０】  また、脱臭室３１ａの上部には入口側油吸着材３５が、下部には出口側油吸着材３７が位置している。  ここで、入口側油吸着材３５と出口側油吸着材３７の材料としては、ポリプロピレンやポリスチレン等の不織布を含む繊維よりなるものが考えられる。  但し、入口側油吸着材３５と出口側油吸着材３７の材料に関しては、前述のものに限定する必要は無く、油吸着の機能をもっていればその他のものでも構わない。  この場合、入口側油吸着材３５は出口側油吸着材３７より高い性能が望まれる。  一つの例として、同一の材料で考えた場合、入口側油吸着材３５では五枚使用するのに対し、出口側油吸着材３７では二枚使用するようなことが考えられる。【００２１】  尚、入口側油吸着材３５と出口側油吸着材３７によってその間に脱臭室３１ａを形成するものであると考えても良い。【００２２】  さて、活性炭３６を袋３８に詰めた状態で脱臭室３１ａに充填する理由としては、粉末である活性炭３６の充填作業や交換作業の利便性に対処する為と、後に述べる入口側油吸着材３５で捉し切れなかったオイルミストによって固化した活性炭３６の交換作業を容易にする為である。【００２３】  この場合、入口側油吸着材３５と出口側油吸着材３７は、気体に含まれているオイルミストを吸着除去する目的で配置したものであり、入口側油吸着材３５によってオイルミストが吸着除去されることで活性炭３６が汚泥化して固化されることが防止され、活性炭３６の寿命が格段に延長させるという効果をもたらしていて、出口側油吸着材３７によって更にオイルミストをほぼ完全に吸着除去することによって下流に配置しているターボファン３３等を含む吸引手段３３の早期の機能低下を防止していて、更に寿命を格段に延長させているのである。【００２��】  また、入口３２ａと入口側油吸着材３５の間には空間部３１ｂが形成することで、気体が活性炭３６の層を流れる中で特定の流路を形成せず、均一に活性炭３６を流れることが出来る様に配慮しているのである。【００２５】  更に、出口側油吸着材３７を通過した気体は、ターボファン３３等を含む吸引手段３３によって吸引されながら吐出管３４より排出される様になっている。  尚、吸引手段３３に関しては、真空状態にする装置も考えられるし、当然のことながらその他の方法によるものでも構わない。  また、吐出管３４には、吐出ホースを接続して有毒なまたは異臭のする物質を除去した気体を遠くに排出する様にしても良い。【００２６】  一方、除去装置３０の下部にはキャスター３９が設置されていて、除去装置３０全体を容易に移動することが可能となっている。  尚、キャスター３９としては、三組の配置でも四組の配置でも構わないし、配置しない場合も考えられる。【００２７】  本発明による、気体に混在している有毒なまたは異臭のする物質を除去する方法および装置は前述したように構成されており、以下にその動作について説明する。【００２８】  先ず、除去装置３０に入口側油吸着材３５と袋３８に詰めた状態の活性炭３６と出口側油吸着材３７を位置させた状態で本体３１の上部に蓋３２を固定し、吸込ホース１０の一端を蓋３２に形成された入口３２ａに接続して他端の取付金具１２を気体の発生源に固定する。【００２９】  その様な状態の中で、ターボファン３３を作動させると、気体の発生源から吸込ホース１０を経由して入口３２ａから空間部３１ｂに有毒なまたは異臭のする物質を混在させた気体が送り込まれるのである。  更に、空間部３１ｂの気体は、入口側油吸着材３５と活性炭３６と出口側油吸着材３７を経由して有毒なまたは異臭のする物質を除去した気体をターボファン３３に吸引され吐出管３４から排出される。  時には、吐出管３４には吐出ホースを接続して有毒なまたは異臭のする物質を除去した気体を遠くに排出することも考えられる。【００３０】  この場合、入口側油吸着材３５に於いては、オイルミストを吸着除去することで、オイルミストが活性炭３６に流入することで汚泥化し更には固化して、早期に機能が低下するのを防止している。【００３１】  一方、活性炭３６の層を通過することで、窒素酸化物や硫黄酸化物や炭化水素やアルデヒドや塩素ガスや硫化水素等を含む各種ガス、特にプラスチックから発生したガスを除去することが可能となっている。【００３２】  また、出口側油吸着材３７に於いては、更にオイルミストをほぼ完全に吸着除去することによって、オイルミストが下流に配置しているターボファン３３である吸引手段３３に粘着することによる早期の機能低下を防止していて、更に寿命を格段に延長させているのである。【００３３】  この様にして、活性炭３６の機能が低下した場合には、袋３８毎に活性炭３６を交換することで、活性炭３６が汚泥化して固化された状態になっても袋３８の中に収納されている為に容易に交換することが出来るのである。  この場合、同時に入口側油吸着材３５と出口側油吸着材３７を必要に応じて交換しても構わない。
【産業上の利用可能性】
【００３４】  気体に混在している有毒なまたは異臭のする圧縮空気からのオイルミストの捕捉や有毒なまたは異臭の物質の捕捉する能力が格段に向上することで、確実な有毒なまたは異臭の物質の捕捉が可能となった。
【図面の簡単な説明】
【００３５】
【図１】  本願発明全体の外観を示した図
【図２】  本願発明の除去装置を示した図
【符号の説明】
【００３６】  １０・・・・・・吸込ホース
１１・・・・・・ホース
１２・・・・・・取付金具
３０・・・・・・除去装置
３１・・・・・・本体
３１ａ・・・・・脱臭室
３１ｂ・・・・・空間部
３２・・・・・・蓋
３２ａ・・・・・入口
３３・・・・・・ターボファン（吸引手段）
３４・・・・・・吐出管
３５・・・・・・入口側油吸着材
３６・・・・・・活性炭
３７・・・・・・出口側油吸着材
３８・・・・・・袋
３９・・・・・・キャスター
【図１】
2006312156.tif 000003
【図２】
2006312156.tif 000004